(57)【要約】      （修正有）【課題】異なる周波数帯を扱う呼処理制御部の増設後において、正常にリセットすることができる無線基地局装置を提供する。【解決手段】無線基地局装置は、呼処理制御を行う複数の呼処理制御部と、呼処理制御部を監視する監視制御部と、再起動に必要なシステムデータを記憶するシステムデータ記憶部とを備える。各呼処理制御部は、複数の機能部と、当該複数の機能部が再起動するのに必要なデータを記憶するための記憶部とを有し、特定の呼処理制御部の特定の機能部は、無線基地局全体のリセット、特定の呼処理制御部のみのリセット、又は特定の呼処理制御部の特定の機能部のみのリセットのいずれであるリセットの種別を記録するリセット種別記録部を備え、特定の機能部は、リセット種別記録部に記録されたリセットの種別に応じて、システムデータ記憶部又は特定の呼処理制御部内の記憶部から再起動に必要なデータを読み出して再起動する。【選択図】図２
2008017245.tif 000002
【特許請求の範囲】
【請求項１】
呼処理制御を行う複数の呼処理制御部と、前記呼処理制御部を監視する監視制御部と、再起動に必要なシステムデータを記憶するシステムデータ記憶部とを備える無線基地局装置において、
各呼処理制御部は、複数の機能部と、当該複数の機能部が再起動するのに必要なデータを記憶するための記憶部とを有し、
特定の呼処理制御部の特定の機能部は、無線基地局全体のリセット、前記特定の呼処理制御部のみのリセット、又は前記特定の呼処理制御部の前記特定の機能部のみのリセットのいずれであるリセットの種別を記録するリセット種別記録部を備え、
前記特定の機能部は、前記リセット種別記録部に記録されたリセットの種別に応じて、前記システムデータ記憶部又は前記特定の呼処理制御部内の記憶部から再起動に必要なデータを読み出して再起動することを特徴とする無線基地局装置。
【請求項２】
請求項１において、
前記リセット種別記録部は、いずれのリセット時でもリセットされないことを特徴とする無線基地局装置。
【請求項３】
請求項１において、
各呼処理制御部の前記記憶部は、いずれのリセット時でもリセットされないことを特徴とする無線基地局装置。
【請求項４】
請求項１において、
無線基地局装置全体のリセットが行われるとき、前記特定の機能部は、リセットされた後、再起動に必要なデータを前記システムデータ記憶部に記憶されるシステムデータの中から読み出して、再起動し、
前記監視制御部は、前記特定の機能部の再起動に必要なデータを、前記システムデータ記憶部に記憶されるシステムデータの中から読み出して、前記特定の呼処理制御部の記憶部に転送し、記憶させることを特徴とする無線基地局装置。
【請求項５】
請求項４において、
前記特定の機能部の再起動に必要なデータは、前記システムデータ記憶部に記憶されるシステムデータのうち、各呼処理制御部に共通の共通データ及び前記特定の呼処理制御部に固有の固有データであることを特徴とする無線基地局装置。
【請求項６】
請求項１において、
前記特定の呼処理制御部のみのリセットが行われるとき、前記監視制御部は、前記特定の呼処理制御部の再起動に必要なデータを前記システムデータ記憶部に記憶されるシステムデータの中から読み出して、前記特定の呼処理制御部の記憶部に転送し、記憶させ、その後、前記特定の呼処理制御部内の各機能部は、前記記憶部に記憶されたデータを読み出して、再起動することを特徴とする無線基地局装置。
【請求項７】
請求項６において、
前記特定の機能部の再起動に必要なデータは、前記システムデータ記憶部に記憶されるシステムデータのうち、各呼処理制御部に共通の共通データ及び前記特定の呼処理制御部に固有の固有データであることを特徴とする無線基地局装置。
【請求項８】
請求項１において、
前記特定の呼処理制御部の前記特定の機能部のみのリセットが行われるとき、前記監視制御部は、当該特定の機能部の再起動に必要なデータを前記システムデータ記憶部に記憶されるシステムデータの中から読み出して、前記特定の呼処理制御部の記憶部に転送し、記憶させ、その後、前記特定の機能部は、前記記憶部に記憶されたデータを読み出して、再起動することを特徴とする無線基地局装置。
【請求項９】
請求項８において、
前記特定の機能部の再起動に必要なデータは、前記システムデータ記憶部に記憶されるシステムデータのうち、前記特定の呼処理制御部に固有の固有データであることを特徴とする無線基地局装置。
【発明の詳細な説明】
【技術分野】
【０００１】
本発明は、無線通信システムを構成する無線基地局装置に関し、特に、複数の周波数帯ごとに呼処理制御部を有し、新たに呼処理制御部が増設された後におけるリセット時の正常起動を維持する無線基地局装置に関する。
【背景技術】
【０００２】
無線通信システムを構成する無線基地局装置（以下、「基地局」と称す）は、音声やデータ処理を司る呼処理制御系と、基地局自体の保守運用を司る保守監視制御系との二つの制御部を有する。
【０００３】
呼処理制御系制御部（以下、呼処理制御部と称す）及び保守監視制御系制御部（以下、保守監視制御部と称す）は、さらに複数の機能部から構成されている。また、１台の基地局は、複数の呼処理制御部(例えば複数の周波数帯域毎に呼処理制御部を分けた構成)を備え、基地局の収容能力を向上させる構成も提案されている。
また、装置運用開始時および装置故障発生時に際して、装置動作情報を蓄積して置き、ユニットを交換した場合には、前記蓄積した情報により設定を自動的に行うことが下記特許文献１に記載されている。
【０００４】
各機能部は、CPUを搭載してソフトウエア処理を実行する基板状のハードウエア装置(コンピュータ装置)で構成され、当該基板状のハードウエア装置はカードと呼ばれる。各機能部は、冗長を持たない一枚のカードによる単独構成、複数枚のカードにより切替可能な冗長構成、あるいは複数枚のカードによる負荷分散を可能とする危険分散構成のいずれかが考えられる。呼処理制御部又は保守監視制御部は、複数の機能部それぞれに対応する各カードが装着されたシェルフと呼ばれるハードウエア装置で構成される。
【０００５】
基地局全体のリセット処理（システムリセット）の際、各制御部を構成する複数の機能部（カード）それぞれがリセットする必要があり、カード起動時において、各カードが別に用意されたシステムデータ記憶部から自カード起動用システムデータファイルを読み込み、起動開始する構成とすると、起動に所定時間を要する。
【０００６】
基地局のリセット処理は、不具合発生時の復旧手段として、リモート制御により実施される場合もあれば、周波数帯の拡張のため、拡張される周波数帯に対応する呼処理制御部の増設する際、上位装置からダウンロードされる新システムデータファイルを新規の呼処理制御部に反映させる目的で実施される場合もある。
【０００７】
図１は、基地局のリセットパターンを説明する図である。図１に示すように、基地局のリセットパターンには、基地局を構成する保守監視制御部及びすべての呼処理制御部がリセットする装置リセット、各呼処理制御部単位でリセットする呼処理制御部リセット、保守監視制御部のみがリセットする保守監視制御部リセット、保守監視制御部又は呼処理制御部を構成する各機能部単位でリセットする機能部リセットの４つパターンが考えられる。
【０００８】
基地局リセットは、基地局が上位装置から更新されたシステムデータ（新ファイル）をダウンロードした場合に基地局のすべての制御部を新ファイルに対応させるためにリセットする場合、上位装置のリセットに同期してリセットする場合、装置に不具合が発生した場合の最終手段としてリセットする場合が想定され、装置リセット中は、基地局の運用が停止し、ユーザは携帯電話を利用することができない。
【０００９】
呼処理制御部リセットは、特定の呼処理制御部専用の新ファイルがダウンロードされた場合に当該特定の呼処理制御部を当該新ファイルに対応させるためにリセットする場合や、当該特定の呼処理制御部に発生した故障を復旧させるためにリセットする場合が想定される。呼処理制御部リセット中は、当該特定の呼処理制御部が取り扱う周波数帯を利用するユーザが携帯電話を利用することができなくなる。
【００１０】
保守監視制御部リセットは、保守監視制御部専用の新ファイルがダウンロードされた場合に当該保守監視制御部を当該新ファイルに対応させるためにリセットする場合や、当該保守監視制御部に発生した故障を復旧させるためにリセットする場合が想定される。保守監視制御部リセット中は、呼処理制御に影響を与えないため、ユーザは携帯電話を利用することができる。
【００１１】
機能部リセットは、保守監視制御部又は呼処理制御部を構成する特定の機能部専用の新ファイルがダウンロードされた場合に当該特定の機能部を当該新ファイルに対応させるためにリセットする場合や、当該特定の機能部に発生した故障を復旧させるためにリセットする場合が想定される。機能部リセット中は、当該特定の機能部が呼処理制御部の機能部であって、且つ単独構成である場合又は冗長構成である場合の複数の同一機能部すべてがリセットする場合、リセットする当該特定の機能部の機能によっては、その機能部によって構成される呼処理制御部が取り扱う周波数帯を利用するユーザが携帯電話を利用することができなくなる場合が生じる。
【００１２】
従来、基地局において、リセットを行う契機は限られており、基地局リセット又は機能部リセットのいずれかが行われており、機能部リセットにおいては、特定の機能部専用の新ファイルがダウンロードされた場合であっても、新ファイルを含むシステムデータ全体を読み込んで、リセットを行っている。また、従来、制御部単位でのリセット（呼処理制御部リセット又は保守監視制御部リセット）は行われていない。
【特許文献１】特開２００１−７７７６９号公報
【発明の開示】
【発明が解決しようとする課題】
【００１３】
基地局が複数の周波数帯の通信を取り扱う場合、基地局は、周波数帯毎の呼処理制御部を備え、新しい周波数帯での運用が追加される場合、当該周波数帯に対応する呼処理制御部が増設される。
【００１４】
基地局にダウンロードされるシステムデータは、複数の周波数帯を取り扱う場合、各周波数帯に固有の固有データと、全ての周波数帯に共通の共通データとを備える。機能部リセットが行われる場合、各機能部は、自己の周波数帯に対応する固有データと共通データとの両方を読み込んで、リセットを行う。
【００１５】
しかしながら、呼処理制御部が増設する前後では、共通データの内容が書き換えられる。具体的には、共通データは、周波数帯毎の呼処理制御部の運用ＯＮ／ＯＦＦを認識する項目を有し、例えば、これまでＸ周波数帯の呼処理制御部のみがＯＮ（運用有り）であったもので、Ｙ周波数帯の呼処理制御部が増設され、共通データがＸ周波数帯の呼処理制御部ＯＮ、Ｙ周波数帯の呼処理制御部ＯＮに書き換えられる。
【００１６】
共通データが書き換えられた後に、機能部リセットにより、特定の機能部が再度共通データと固有データとを読み込むと、同一の呼処理制御部内において、各機能部が読み込んだ共通データが異なる事態が生じ、呼処理制御部が正常に動作しないおそれがある。
【００１７】
そこで、本発明の目的は、異なる周波数帯を扱う呼処理制御部の増設後において、正常にリセットすることができる無線基地局装置を提供することにある。
【課題を解決するための手段】
【００１８】
上記目的を達成するための本発明の無線基地局装置の第一の構成は、呼処理制御を行う複数の呼処理制御部と、前記呼処理制御部を監視する監視制御部と、再起動に必要なシステムデータを記憶するシステムデータ記憶部とを備える無線基地局装置において、各呼処理制御部は、複数の機能部と、当該複数の機能部が再起動するのに必要なデータを記憶するための記憶部とを有し、特定の呼処理制御部の特定の機能部は、無線基地局全体のリセット、前記特定の呼処理制御部のみのリセット、又は前記特定の呼処理制御部の前記特定の機能部のみのリセットのいずれであるリセットの種別を記録するリセット種別記録部を備え、前記特定の機能部は、前記リセット種別記録部に記録されたリセットの種別に応じて、前記システムデータ記憶部又は前記特定の呼処理制御部内の記憶部から再起動に必要なデータを読み出して再起動することを特徴とする。
【００１９】
本発明の無線基地局装置の第二の構成は、上記第一の構成において、前記リセット種別記録部は、いずれのリセット時でもリセットされないことを特徴とする。
【００２０】
本発明の無線基地局装置の第三の構成は、上記第一の構成において、各呼処理制御部の前記記憶部は、いずれのリセット時でもリセットされないことを特徴とする。
【００２１】
本発明の無線基地局装置の第四の構成は、上記第一の構成において、無線基地局装置全体のリセットが行われるとき、前記特定の機能部は、リセットされた後、再起動に必要なデータを前記システムデータ記憶部に記憶されるシステムデータの中から読み出して、再起動し、前記監視制御部は、前記特定の機能部の再起動に必要なデータを、前記システムデータ記憶部に記憶されるシステムデータの中から読み出して、前記特定の呼処理制御部の記憶部に転送し、記憶させることを特徴とする。
【００２２】
本発明の無線基地局装置の第五の構成は、上記第四の構成において、前記特定の機能部の再起動に必要なデータは、前記システムデータ記憶部に記憶されるシステムデータのうち、各呼処理制御部に共通の共通データ及び前記特定の呼処理制御部に固有の固有データであることを特徴とする。
【００２３】
本発明の無線基地局装置の第六の構成は、上記第一の構成において、前記特定の呼処理制御部のみのリセットが行われるとき、前記監視制御部は、前記特定の呼処理制御部の再起動に必要なデータを前記システムデータ記憶部に記憶されるシステムデータの中から読み出して、前記特定の呼処理制御部の記憶部に転送し、記憶させ、その後、前記特定の呼処理制御部内の各機能部は、前記記憶部に記憶されたデータを読み出して、再起動することを特徴とする。
【００２４】
本発明の無線基地局装置の第七の構成は、上記第六の構成において、前記特定の機能部の再起動に必要なデータは、前記システムデータ記憶部に記憶されるシステムデータのうち、各呼処理制御部に共通の共通データ及び前記特定の呼処理制御部に固有の固有データであることを特徴とする。
【００２５】
本発明の無線基地局装置の第八の構成は、上記第一の構成において、前記特定の呼処理制御部の前記特定の機能部のみのリセットが行われるとき、前記監視制御部は、当該特定の機能部の再起動に必要なデータを前記システムデータ記憶部に記憶されるシステムデータの中から読み出して、前記特定の呼処理制御部の記憶部に転送し、記憶させ、その後、前記特定の機能部は、前記記憶部に記憶されたデータを読み出して、再起動することを特徴とする。
【００２６】
本発明の無線基地局装置の第九の構成は、上記第八の構成において、前記特定の機能部の再起動に必要なデータは、前記システムデータ記憶部に記憶されるシステムデータのうち、前記特定の呼処理制御部に固有の固有データであることを特徴とする。
【発明の効果】
【００２７】
本発明によれば、無線基地局装置における呼処理制御部の増設後におけるリセットにおいて、全体リセット、制御部単位リセット、機能部単体リセットなど各段階のリセットを正常に行うことできる。
【００２８】
特に、機能部単体リセットにおいて、呼処理制御部を構成する複数の機能部間でのデータ不整合を防止し、正常起動を保障し、無線基地局装置の安定動作に寄与する。
【００２９】
また、呼処理制御部内の記憶部に再起動に必要なシステムデータを保持しておくことで、無線基地局装置のシステムデータ記憶部にアクセスできない場合であっても、正常起動が可能となる。
【発明を実施するための最良の形態】
【００３０】
以下、図面を参照して本発明の実施の形態について説明する。しかしながら、かかる実施の形態例が、本発明の技術的範囲を限定するものではない。
【００３１】
図２は、本発明の実施の形態における基地局の構成例を示す図である。基地局は、システムデータ記憶部１０、保守監視制御部２０、及び複数の呼処理制御部３０を備える。
【００３２】
複数の呼処理制御部３０は、複数の無線周波数帯（１．７ＧＨｚ帯、２ＧＨｚ帯など）毎に設けられてもよいし、冗長構成が取られている場合や加入者を分割して収容する場合は、一つの無線周波数帯に対して、複数の呼処理制御部３０が設けられてもよい。
【００３３】
システムデータ記憶部１０は、基地局を運用するのに必要な基本的なデータであるシステムデータを記憶し、不揮発性メモリで構成される。
【００３４】
図３は、システムデータ記憶部１０に記憶されるシステムデータの構成例を示す図である。システムデータは、各呼処理制御部や保守監視制御部に共通の共通データと各周波数帯の呼処理制御部毎に固有の固有データとを有する。
【００３５】
新しい周波数帯に対応する呼処理制御部が増設された場合、上位装置はシステムデータを更新するが、この場合、共通データを更新するとともに、この新しい周波数帯の呼処理制御部に固有の固有データを追加する。
【００３６】
共通データの更新は、例えば、各周波数帯に対応する呼処理制御部の運用ＯＮ／ＯＦＦ温度に対応を認識する項目に関し、それまで、Ｘ周波数帯の呼処理制御部のみＯＮ（運用中）であったものが、新しいＹ周波数帯の呼処理制御部の運用についてもＯＮとなり、結果として、共通データは、Ｘ周波数帯呼処理制御部：ＯＮ、Ｙ周波数帯呼処理制御部：ＯＮという状態に書き換えられる。後述の図３にシステムデータの構成例を示す。
【００３７】
図２に戻り、保守監視制御部２０は、基地局の動作状態を保守、監視する制御部であり、基板状のハードウエア装置（カードと呼ばれるコンピュータ装置）として実現される以下の各機能部を搭載するハードウエア装置（シェルフと呼ばれる）として構成される。カードは、コンピュータプログラム（ソフトウエア）を搭載し、カードに搭載されるＣＰＵがそのコンピュータプログラムを実行する。
【００３８】
保守監視制御部２０のバス制御部２１は、保守監視制御部２０に搭載される各カード間のデータ送受信を行うための共通バスの調停機能を有し、現在どのカードがバスアクセス権を保有しているかを管理する。
【００３９】
外部装置制御部２２は、基地局に付随する外部装置を制御する。具体的には、外部装置として、低雑音増幅器、局舎設備、アンテナチルト制御器などがあるが、外部装置制御部２２は、これら外部装置を制御するためのインターフェースを有し、このインターフェースにより外部装置との間で制御信号を送受信することにより、外部装置を制御する。外部装置制御部２２は、例えば、低雑音増幅器が正常に動作しているか確認し、局舎設備のドアが開いていたり、空調設備が故障していないか確認したり、アンテナチルトの方向を変更する。
【００４０】
データベース部２３は、呼処理のトラフィック状況を蓄積するメモリを備えて構成される。
【００４１】
保守監視制御部２０の管理制御部２５は、保守監視制御部２０内の他の機能部を管理する上位装置（オペレーションセンタ）の指示に従って、呼処理のトラフィック状況をデータベース部２３に記憶させる。また、各呼処理制御部３０のみのリセット、又は呼処理制御部３０を構成する各カード毎のリセット時において、後述するように、呼処理制御部３０のデータ記憶部３６にシステムデータを転送する。
【００４２】
ファイルメモリ部２４は、システムデータ記憶部１０からダウンロードされたシステムデータや基地局の障害情報データを一時的に保存するファイルメモリを有する。保守監視制御部２０の管理制御部２５は、上位装置（オペレーションセンタ）の指示に従って、システムデータ記憶部１０からシステムデータをダウンロードしたり、障害情報を上位装置にアップロードする。ファイルメモリ部２４は、これらのデータを一時的に保存する。
【００４３】
保守監視制御部２０の管理制御部２５は、保守監視制御部２０内の他の機能部を管理する機能を有し、保守監視制御部２０の中枢を司る。また、基地局内の全てのカードの状態監視と、上位装置へのカード状態変化報告及び上位装置からの制御命令の実行と応答を行う。後述するように、すべてのカードに対して、ポーリングにより各カードの状態情報を収集し、各カードのリセット（システムリセット、制御部単体リセット又はカード単体リセットのいずれかによる各カードのリセット）又はリセット制御を認識する。
【００４４】
呼処理制御部３０は、ユーザの移動通信端末との無線通信を制御する制御部であり、保守監視部２０と同様に、基板状のハードウエア装置（カードと呼ばれるコンピュータ装置）として実現される以下の各機能部を搭載するハードウエア装置（シェルフと呼ばれる）として構成される。
【００４５】
呼処理制御部３０のバス制御部３１は、呼処理制御部３０に搭載される各カード間のデータ送受信を行うための共通バスの調停機能を有し、現在どのカードがバスアクセス権を保有しているかを管理する。
【００４６】
プロトコル終端部３２は、上位装置から所定フォーマットで送信されるデータ信号から特定信号を抽出し、また、上位装置に送信する信号を所定フォーマットに変換して送信する。基地局と上位装置との有線回線では、決められたフォーマットによる信号の送受信を行っている。プロトコル終端部３２は、所定のプロトコルに従って、このフォーマットから特定信号を抽出し、また、所定のプロトコルに従って、送信する信号を所定フォーマットに変換する。
【００４７】
グローバルメモリ部３３は、運用中の呼処理情報を記憶するメモリを有する。呼処理制御部３０は、可能な限りユーザに影響を与えないように冗長構成をとっている。冗長構成では、運用カードと待機カードの２枚で構成され、待機カードは運用カードが故障などでサービス継続不可となった場合に、切り替わって運用カードとして動作します。このとき、旧待機カードは旧運用カードが行っていた呼処理を引き継ぐ必要があり、そのために、運用中の呼処理情報を旧待機カード内のメモリにリアルタイムで記憶する。グローバルメモリ部３３は、この旧待機カード内のメモリであって、揮発性で高速アクセス可能なメモリを備えて構成される。
【００４８】
ベースバンド処理部３４は、ユーザの移動通信端末との通信におけるベースバンド帯の信号処理を行う。基地局と移動通信端末との間では、無線周波数帯（１．７ＧＨｚ、２ＧＨｚなど）の高周波搬送波にデータを乗せて通信を行うが、基地局内では、無線周波数からデータを抽出し、ベースバンド帯と呼ばれる低周波数帯に周波数を落として信号処理を行う。ベースバンド処理部３４は、このベースバンド帯の信号処理を行う。
【００４９】
呼処理制御部３０の管理制御部３５は、呼処理制御部３０内の他の機能部を管理する機能を有し、呼処理の中枢を司る。また、保守監視制御部２０の管理制御部２５と通信し、さらに、上位装置の指示に従って、移動通信端末との通信制御を行う。
【００５０】
呼処理制御部３０のデータ記憶部３６は、後述するように、システムデータ記憶部１０に記憶されるシステムデータのうち、共通データと自己が取り扱う周波数帯の固有データとを記憶する。例えば、Ｘ周波数帯の呼処理制御部３０のデータ記憶部３６は、共通データとＸ周波数帯の呼処理制御部固有データを格納し、Ｙ周波数帯の呼処理制御部３０のデータ記憶部３６は、共通データとＹ周波数帯の呼処理制御部固有データを格納する。保守監視制御部２０が、システムデータ記憶部１０から必要なデータを各呼処理制御部３０内のデータ記憶部３６に転送する。
【００５１】
このデータ記憶部３６は、リセット時において、リセットされないメモリ領域であって、後述するように、カード単体リセット時においては、システムデータ記憶部１０ではなく、データ記憶部３６から必要なデータを読み込んで、リセットする。
【００５２】
システムデータ記憶部は、データの高速転送が可能なＳＲＡＭやＤＲＡＭなどの揮発性メモリ、又は電源断でもデータが消去しないフラッシュメモリなどの不揮発性メモリで構成される。
【００５３】
図４は、呼処理制御部３０のリセット制御について説明する図である。図示されるように、リセット制御線からリセット信号は、バス制御部３１、プロトコル終端部３２、グローバルメモリ部３３、ベースバンド処理部３４及び管理制御部３５に供給され、これらはリセットされた後、リセットするが、データ記憶部３６にはリセット信号は供給されず、データ記憶部３６内に記憶されたシステムデータは消去されない。
【００５４】
図５は、リセット要因表示レジスタを説明する図である。保守監視制御部２０及び呼処理制御部３０を構成する各カードは、ハードウエアにて構成された図５に示すリセット要因表示レジスタを備える。リセット要因表示レジスタは、例えば、８ビットで構成され、そのうちの５ビットの各ビットに、基地局全体をリセットする「基地局リセット」、呼処理制御部３０又は保守監視制御部２０単位のリセットであって且つシェルフに設けられたリセットボタン押下によるリセットである「制御部ローカルリセット」、呼処理制御部３０又は保守監視制御部２０単位のリセットであって且つ上位装置からのリセット指示によるリセットである「制御部リモートリセット」、カード単位のリセットであって且つカードに設けられたリセットボタン押下によるリセットである「カード単体ローカルリセット」、カード単位のリセットであって且つ上位装置からのリセット指示によるリセットである「カード単体リモートリセット」を割り当てる。
【００５５】
リセット要因表示レジスタは、各カードがリセットされた場合にもリセットされず、各ビットデータは消えない。従って、各カードは、リセットする際、リセット要因に対するビットＯＮしてから、リセットし、再起動する際、自カードのリセット要因表示レジスタのビットデータを読み込むことで、リセット要因（リセット種別）を認識し、リセット種別に応じて、システムデータの読み込み先を変更する。リセット要因を認識した後、ビットデータをクリア（ＯＦＦ）する。
【００５６】
具体的には、システムリセットの場合は、システムデータ記憶部１０から共通データと自カードを構成要素とする制御部の固有データを読み込み、制御部リセット及びカード単体リセットの場合は、自制御部内のデータ記憶部３６から、共通データ及び固有データを読み込む。
【００５７】
図６は、本発明の実施の形態におけるシステムリセットのシーケンス図である。以下の各シーケンス図では、基地局には、複数の呼処理制御部３０として、無線周波数帯Ｘを取り扱う呼処理制御部３０Ｘ及び無線周波数帯Ｙを取り扱う呼処理制御部３０Ｙ及び無線周波数帯Ｚを取り扱う呼処理制御部３０Ｚが設けられている。
【００５８】
保守監視制御部２０の管理制御部２５が、上位装置１００からのシステムリセット指示を受信すると、保守監視制御部２０及び呼処理制御部３０Ｘ、３０Ｙ、３０Ｚの全てのカードにシステムリセット指示を転送し、各カードのリセット要因表示レジスタのシステムリセットのビットがＯＮされる（Ｓ１００）。
【００５９】
保守監視制御部２０及び呼処理制御部３０Ｘ、３０Ｙ、３０Ｚの各カードは、システムリセットのビットＯＮにより、リセットし、起動を開始する（Ｓ１０２）。起動を開始すると、リセット要因表示レジスタを参照して（Ｓ１０４）、システムリセットであることを認識すると、各カードは、システムデータ記憶部１０にアクセスして、そこに記憶されている共通データと、自カードを構成要素とする制御部に固有の固有データを読み込み（Ｓ１０６）、起動する（Ｓ１０８）。各カードは、リセット種別認識後にリセット要因表示レジスタをクリアする。
【００６０】
保守監視制御部２０の管理制御部２５が起動後に、各呼処理制御部３０の各カードから起動通知を受信し、すべてのカードが起動すると、管理制御部２５は、システムデータ記憶部１０に記憶される呼処理制御部２０用のデータを、各呼処理制御部２０のデータ記憶部３６に転送し（Ｓ１１０）、データ記憶部３６は、受信したデータを記憶する（Ｓ１１２）。
【００６１】
具体的には、保守監視制御部２０の管理制御部２５は、呼処理制御部３０Ｘに対して、共通データと呼処理制御部３０Ｘの固有データを送信し、呼処理制御部３０Ｙに対して、共通データと呼処理制御部３０Ｙの固有データを送信し、呼処理制御部３０Ｚに対して、共通データと呼処理制御部３０Ｚの固有データを送信する。
【００６２】
各呼処理制御部３０のデータ記憶部３６は、システムデータ記憶部１０に対するバックアップ機能を実現し、システムリセット時に、万が一、システムデータ記憶部１０にアクセスできない場合でも、各呼処理制御部３０内のデータ記憶部３６にアクセスすることで、各カードは、起動に必要な共通データ（更新前の古いバージョンの可能性あり）とそれぞれの固有データを読み込むことができる。
【００６３】
また、後述する制御部単位リセット及びカード単体リセットを制御する保守監視制御部２０が故障した場合であっても、各呼処理制御部３０内のデータ記憶部３６にアクセスすることで、リセット対象の各カードは、起動に必要な共通データ（更新前の古いバージョンの可能性あり）とそれぞれの固有データを読み込むことができる。
【００６４】
図７は、本発明の実施の形態における制御部単位リセットのシーケンス図である。制御部単位リセットは、一つの呼処理制御部がリセットする場合を想定している。ここでは、呼処理制御部３０Ｘがリセットする場合について説明する。
【００６５】
上位装置１００からの指示（監視制御部２０経由）、又は呼処理制御部３０Ｘに設けられたリセットボタンの押下により、呼処理制御部３０Ｘのリセットが指示されると、呼処理制御部３０Ｘの各カードにおけるリセット要因表示レジスタの制御部単位の（ローカル又はリモート）リセットのビットがＯＮされる（Ｓ２００）。
【００６６】
呼処理制御部３０Ｘの各カードは、制御部単位リセットのビットがＯＮすると、制御部単位リセット通知を保守監視制御部２０に通知し（Ｓ２０２）、その後リセットし、起動を開始する（Ｓ２０４）。
【００６７】
保守監視制御部２０の管理制御部２５は、呼処理制御部３０Ｘから制御部単位リセット通知を受信すると、システムデータ記憶部１０にアクセスし、呼処理制御部３０に共通の共通データと呼処理制御部３０Ｘに固有の固有データを読み出し、読み出したデータを呼処理制御部３０のデータ記憶部３６Ｘに転送する（Ｓ２０６）。データ記憶部３６Ｘは、受信したデータを記憶する（Ｓ２０８）。これにより、共通データと呼処理制御部３０Ｘの固有データの両方が更新される。
【００６８】
一方、呼処理制御部３０Ｘの各カードは、起動を開始すると、リセット要因表示レジスタを参照して（Ｓ２１０）、制御部単位リセットであることを認識すると、保守監視制御部２０による上記システムデータ記憶部１０から呼処理制御部３０Ｘのデータ記憶部３６Ｘへのデータ転送を待って、所定時間経過後、データ記憶部３６Ｘにアクセスして、そこに記憶されている共通データと呼処理制御部３０Ｘに固有の固有データとを読み込み（Ｓ２１２）、起動する（Ｓ２１４）。
【００６９】
図７では、呼処理制御部３０Ｘのリセットについて説明したが、例えば、周波数帯Ｘを扱う呼処理制御部３０Ｘが既に設けられている基地局に、周波数帯Ｙを扱う呼処理制御部３０Ｙを増設した場合、呼処理制御部３０Ｙを使用可能状態とするために、呼処理制御部３０Ｙをリセットする必要があるが、そのために、システムリセットを行ってしまうと、保守監視制御部２０、呼処理制御部３０Ｘまでリセットしてしまい、基地局全体が停止する期間が生じる。すなわち、周波数帯Ｘの通信も使用不可となってしまい、ユーザに不便を強いる。
【００７０】
従って、呼処理制御部３０Ｙのみをリセットするため、保守監視制御部２０の制御のもと、システムデータ記憶部１０から共通データと呼処理制御部３０Ｙに固有の固有データを、呼処理制御部３０Ｙ内のデータ記憶部３６に転送し、呼処理制御部３０Ｙは、データ記憶部３６Ｙから共通データと固有データを読み込んで起動するので、他の呼処理制御部３０Ｘをリセットすることなく、起動することができる。
【００７１】
また、新たに増設された呼処理制御部３０Ｙを起動するための共通データと固有データを、内部のデータ記憶部３６に記憶しておくことで、バックアップ機能が実現される。すなわち、システムリセット時や保守監視制御部２０の故障により、万が一、システムデータ記憶部１０にアクセスできない場合でも、各呼処理制御部３０内のデータ記憶部３６にアクセスすることで、各カードは、起動に必要な共通データ（更新前の古いバージョンの可能性あり）とそれぞれの固有データを読み込むことができる。
【００７２】
図８は、本発明の実施の形態におけるカード単体リセットのシーケンス図である。カード単体リセットは、呼処理制御部を構成する複数カードのうちの一枚のカードがリセットする場合を想定している。ここでは、呼処理制御部３０Ｘを構成するカード３１Ｘ〜３５Ｘのいずれか一枚（図８では一例としてカード３１Ｘ）がリセットする場合について説明する。
【００７３】
上位装置１００からの指示（監視制御部２０経由）、又は呼処理制御部３０Ｘのカード３１Ｘ（バス制御部３１Ｘ）に設けられたリセットボタンの押下により、呼処理制御部３０Ｘのカード３１Ｘのリセットが指示されると、カード３１Ｘのリセット要因表示レジスタのカード単体の（ローカル又はリモート）リセットのビットがＯＮされる（Ｓ３００）。
【００７４】
呼処理制御部３０Ｘのカード３１Ｘは、カード単体リセットのビットがＯＮすると、カード単体リセット通知を保守監視制御部２０に通知し（Ｓ３０２）、その後リセットし、起動を開始する（Ｓ３０４）。
【００７５】
保守監視制御部２０の管理制御部２５は、呼処理制御部３０Ｘのカード３１Ｘからカード単体リセット通知を受信すると、システムデータ記憶部１０にアクセスし、呼処理制御部３０Ｘに固有の固有データのみ読み出し、読み出したデータを呼処理制御部３０のデータ記憶部３６Ｘに転送する（Ｓ３０６）。データ記憶部３６Ｘは、受信したデータを記憶する（Ｓ３０８）。これにより、呼処理制御部３０Ｘの固有データのみが上書きされ、共通データは更新されない。
【００７６】
一方、呼処理制御部３０Ｘのカード３１Ｘは、起動を開始すると、リセット要因表示レジスタを参照して（Ｓ３１０）、カード単体リセットであることを認識すると、上記システムデータ記憶部１０から呼処理制御部３０Ｘのデータ記憶部３６Ｘへのデータ転送を待って、所定時間経過後、データ記憶部３６Ｘにアクセスして、そこに記憶されている共通データ（更新されていない）と、呼処理制御部３０Ｘに固有の固有データを読み込み（Ｓ３１２）、起動する（Ｓ３１４）。
【００７７】
カード３１Ｘのリセット前に、新しい周波数帯Ｙを扱う呼処理制御部３０Ｙが増設されたような場合は、システムデータ記憶部１０に記憶される共通データは、呼処理制御部３０Ｙの増設により更新される。
【００７８】
カード３１Ｘのみをリセットする場合に、カード３１Ｘがシステムデータ記憶部１０にアクセスすると、更新された共通データを読み込んでしまう。呼処理制御部３０Ｘのリセットの他のカードは、更新前の共通データを読み込んでいるため、呼処理制御部３０Ｘ内で、異なる共通データが存在することとなり、誤作動、動作不良の原因となる。
【００７９】
本実施の形態によるカード単位のリセットによれば、保守監視制御部２０の制御のもと、システムデータ記憶部１０から共通データを読み込まずに、呼処理制御部３０Ｘに固有の固有データのみを、呼処理制御部３０Ｘ内のデータ記憶部３６に転送するので、呼処理制御部３０Ｘ内のデータ記憶部３６の共通データは更新されないままである。そして、カード３１Ｘは、データ記憶部３６から共通データと固有データを読み込んで起動するので、他のカードと同一の共通データを読み込むことができ、呼処理制御部３０の誤作動、故障を防止することができる。
【図面の簡単な説明】
【００８０】
【図１】基地局のリセットパターンを説明する図である。
【図２】本発明の実施の形態における基地局の構成例を示す図である。
【図３】システムデータ記憶部１０に記憶されるシステムデータの構成例を示す図である。
【図４】呼処理制御部３０のリセット制御について説明する図である。
【図５】リセット要因表示レジスタを説明する図である。
【図６】本発明の実施の形態におけるシステムリセットのシーケンス図である。
【図７】本発明の実施の形態における制御部単位リセットのシーケンス図である。
【図８】本発明の実施の形態におけるカード単体リセットのシーケンス図である。
【符号の説明】
【００８１】
１０：システムデータ記憶部、２０：監視制御部、２１：バス制御部、２２：外部装置制御部、２３：データベース部、２４：ファイルメモリ部、２５：管理制御部、３０：呼処理制御部、３１：バス制御部、３２：プロトコル終端部、３３：グローバルメモリ部、３４：ベースバンド処理部、３５：管理制御部、３６：データ記憶部、１００：上位装置
【図１】
2008017245.tif 000003
【図２】
2008017245.tif 000004
【図３】
2008017245.tif 000005
【図４】
2008017245.tif 000006
【図５】
2008017245.tif 000007
【図６】
2008017245.tif 000008
【図７】
2008017245.tif 000009
【図８】
2008017245.tif 000010